(57)【要約】【課題】  表示される画面に応じたアイコンを表示可能な携帯通信端末を提供する。【解決手段】  携帯通信端末の一態様である携帯電話の制御部が実行するアイコンバー表示処理は、アプリケーションに応じた画面の表示指令を検知するステップ（Ｓ１２０２)と、表示される画面の識別情報を取得するステップ（Ｓ１２０４）と、識別情報に対応したアイコンのデータを読み出すステップ（Ｓ１２０６）と、ユーザ設定を反映させて表示用データを生成するステップ（Ｓ１２０８）と、表示用データに基づいてアイコンを表示するステップ（Ｓ１２１０）とを含む。【選択図】        図１２
2005204257.tif 000002
【特許請求の範囲】
【請求項１】
携帯通信端末であって、
画面を表示するための画面データを、前記携帯通信端末が有する複数の機能の各々が対応付けられた複数の画像データに関連付けて記憶するための記憶手段と、
前記画面データと前記画像データとに基づいて、画像を表示するための表示手段と、
前記記憶手段に記憶されたデータに基づいて、前記表示手段における画像の表示のためのデータを生成するデータ生成手段と、
前記表示手段に表示されている画面の切換指令を検出するための検出手段とを備え、
前記データ生成手段は、
前記画面データに基づいて、前記画面の表示のためのデータを生成する手段と、
前記切換指令の検出に応答して、各前記画像データに基づいて、各前記機能が対応付けられた画像の表示のための表示データを生成する生成手段とを含む、携帯通信端末。
【請求項２】
前記携帯通信端末は、各前記機能の各々を実現するための処理手段をさらに含み、
前記検出手段は、前記処理手段による機能の実現に応答して前記切換指令を検出する、請求項１に記載の携帯通信端末。
【請求項３】
前記携帯通信端末は、外部からの情報の入力を受け付けるための入力手段をさらに含み、
前記検出手段は、前記情報の入力に基づいて前記切換指令を検出する、請求項１に記載の携帯通信端末。
【請求項４】
前記携帯通信端末は、
外部からの情報の入力を受け付けるための入力手段と、
前記外部からの情報が入力されるまでの時間を計測するための計時手段と、
前記情報の入力を検知するための検知手段とをさらに含み、
前記検出手段は、前記外部からの情報が予め定められた時間入力されない場合には、前記切換指令を検出する、請求項１に記載の携帯通信端末。
【請求項５】
前記記憶手段はさらに、前記利用者により入力された設定情報を前記画像データに対応付けて記憶し、
前記生成手段は、前記画像データと前記設定情報とに基づいて、前記表示データを生成するための表示データ生成手段を含む、請求項１に記載の携帯通信端末。
【請求項６】
前記設定情報は、前記画像が表示される位置を定める優先順位データを含み、
前記記憶手段は、前記優先順位データを前記画像データに対応付けて記憶し、
前記表示データ生成手段は、前記優先順位データに基づく位置に対応させて前記表示データを生成する、請求項５に記載の携帯通信端末。
【請求項７】
前記携帯通信端末は、
利用者が指令を入力するための操作手段と、
前記指令の入力に基づいて、前記機能が選択されたことを検知するための検知手段と、
前記機能が選択されたことを報知するための報知手段と、
前記記憶手段に記憶されているデータに基づいて、前記報知手段の動作を制御するための制御手段とをさらに含む、請求項１に記載の携帯通信端末。
【請求項８】
前記報知手段は、少なくとも一色以上の光を発するための発光手段を含み、
前記記憶手段はさらに、光の色を識別するための識別データを前記機能に対応付けて記憶し、
前記制御手段は、前記機能の選択に応答して、前記識別データに対応する色の光を発するように前記発光手段を制御する、請求項７に記載の携帯通信端末。
【請求項９】
前記記憶手段は、少なくとも１つ以上の音声データを前記機能に対応付けて記憶し、
前記報知手段は、前記音声データに基づいて音声を出力するための音声出力手段を含み、
前記制御手段は、前記機能の選択に応答して、前記音声データに基づく音声を出力するように前記音声出力手段を制御する、請求項７に記載の携帯通信端末。
【請求項１０】
前記報知手段は、振動を発生するための発振手段を含み、
前記記憶手段はさらに、前記発振手段が作動する条件を前記機能に対応付けて記憶し、
前記制御手段は、前記機能の選択に応答して、前記条件に応じて振動を発生するように前記発振手段を制御する、請求項７に記載の携帯通信端末。
【請求項１１】
前記携帯通信端末は、
利用者が指令を入力するための操作手段と、
被写体を撮影して映像信号を出力するための撮像手段と、
前記複数の機能は、前記撮像手段による被写体の撮影から、出力される前記映像信号の処理までの動作を含み、
前記記憶手段は、前記操作手段を介して入力された前記複数の機能の各々を実行する処理手順をさらに記憶し、
前記生成手段は、前記処理手順に基づいて、前記複数の機能を表わす画像の表示のためのデータを生成して出力する、請求項１に記載の携帯通信端末。
【請求項１２】
前記表示手段は、
前記画面と前記画像データに基づく画像とを表示するための第１の表示手段と、
前記画面と前記画像データに基づく画像とを表示するための第２の表示手段とを含み、
前記記憶手段はさらに、前記第１の表示手段の表示領域に関する第１の表示領域データと、前記第２の表示手段の表示領域に関する第２の表示領域データとを記憶し、
前記生成手段は、
前記第１の表示領域データと各前記画像データとに基づいて、前記表示データを生成するための手段と、
前記第１の表示領域データと各前記画像データとに基づいて、前記表示データを生成するための手段とを含む、請求項１に記載の携帯通信端末。
【請求項１３】
前記携帯通信端末は、第１の筐体と、前記第１の筐体に対して折り畳み可能な第２の筐体とを含み、
前記操作手段は、前記第１の筐体および前記第２の筐体のいずれかの外側に配置される、請求項１に記載の携帯通信端末。
【発明の詳細な説明】
【技術分野】
【０００１】
本発明は、携帯通信端末に関し、特に、画面に応じて画像を表示可能な携帯通信端末に関する。
【背景技術】
【０００２】
携帯電話、ＰＤＡ（Personal Digital Assistant）その他の携帯通信端末が備える表示装置の画像表示領域は、ＰＣ（Personal Computer）その他の情報処理装置が備える表示装置の画像表示領域よりも小さい。この携帯通信端末は、文書作成機能、通信機能、撮影機能その他の機能を有する。これらの機能は、それぞれ数多くの処理機能を有する。そのため、たとえばユーザが特定の処理機能を実行しようとする場合には、処理の一覧表であるメニュー画面を表示装置に表示させ、特定の項目の選択を繰り返して、その処理機能を最終的に指定する必要がある。そのため、たとえば複数の処理がグループ分けされて深い階層が構成される場合には、ユーザが求める処理機能までメニュー表示を何度も切り替える必要がある。そのため、ユーザが容易に機能を切り替えて実行することができないという問題がある。
【０００３】
そこで、上記の問題点を解決するために、たとえば特開２００２−１９９０８１号公報(特許文献１）は、目的とする機能を選択して設定を完了するまでの操作を短縮することができる移動体通信機器を開示する。この移動体通信機器は、各種機能設定のための複数の表示体を複数の階層表示画面に分けて表示する表示部と、当初操作する階層表示画面から他の階層表示画面を経由することなく求める表示体の操作画面へと遷移させる機能とを含む。
【０００４】
特許文献１に開示された移動体通信機器は、当初操作するメニュー階層表示画面から他のメニュー階層表示画面を経由することなく、求める表示体の操作を完結したり完結直前の処理（画面）へと遷移させる、いわゆるショートカット機能を備えている。そのため、ユーザがよく使用する機能の表示体においては、多層の階層メニューを探したりさまざまなモードを切り替えたりする手間が発生しないため、操作手順が簡略化され得る。
【特許文献１】特開２００２−１９９０８１号公報
【発明の開示】
【発明が解決しようとする課題】
【０００５】
しかしながら、特許文献１に開示された移動体通信機器によると、メニューの移動のための操作が簡略化されても、操作画面の表示中は、表示体には、待ち受け画像、撮影中の画像その他の画像が表示されない。そのため、ユーザは、メニューを切り替える間は、その他の画像を楽しむことができない。
【０００６】
本発明は、上述の問題点を解決するためになされたものであって、その目的は、機能の一覧表示を切り替える際にも画像表示領域における他の画像を表示することができる携帯通信端末を提供することである。
【０００７】
本発明の他の目的は、少ない操作キーにより機能の一覧表示を切り替えることができる携帯通信端末を提供することである。
【０００８】
本発明の他の目的は、ユーザの使用態様に応じて画像の表示を切り替えることができる携帯通信端末を提供することである。
【課題を解決するための手段】
【０００９】
上記の課題を解決するために、この発明のある局面に従うと、携帯通信端末は、画面を表示するための画面データを、携帯通信端末が有する複数の機能の各々が対応付けられた複数の画像データに関連付けて記憶するための記憶手段と、画面データと画像データとに基づいて、画像を表示するための表示手段と、記憶手段に記憶されたデータに基づいて、表示手段における画像の表示のためのデータを生成するデータ生成手段と、表示手段に表示されている画面の切換指令を検出するための検出手段とを備える。データ生成手段は、画面データに基づいて、画面の表示のためのデータを生成する手段と、切換指令の検出に応答して、各画像データに基づいて、各機能が対応付けられた画像の表示のための表示データを生成する生成手段とを含む。
【００１０】
好ましくは、携帯通信端末は、各機能の各々を実現するための処理手段をさらに含む。検出手段は、処理手段による機能の実現に応答して切換指令を検出する。
【００１１】
好ましくは、携帯通信端末は、外部からの情報の入力を受け付けるための入力手段をさらに含む。検出手段は、情報の入力に基づいて切換指令を検出する。
【００１２】
好ましくは、携帯通信端末は、外部からの情報の入力を受け付けるための入力手段と、外部からの情報が入力されるまでの時間を計測するための計時手段と、情報の入力を検知するための検知手段とをさらに含む。検出手段は、外部からの情報が予め定められた時間入力されない場合には、切換指令を検出する。
【００１３】
好ましくは、記憶手段はさらに、利用者により入力された設定情報を画像データに対応付けて記憶する。生成手段は、画像データと設定情報とに基づいて、表示データを生成するための表示データ生成手段を含む。
【００１４】
好ましくは、設定情報は、画像が表示される位置を定める優先順位データを含む。記憶手段は、優先順位データを画像データに対応付けて記憶する。表示データ生成手段は、優先順位データに基づく位置に対応させて表示データを生成する。
【００１５】
好ましくは、携帯通信端末は、利用者が指令を入力するための操作手段と、指令の入力に基づいて、機能が選択されたことを検知するための検知手段と、機能が選択されたことを報知するための報知手段と、記憶手段に記憶されているデータに基づいて、報知手段の動作を制御するための制御手段とをさらに含む。
【００１６】
好ましくは、報知手段は、少なくとも一色以上の光を発するための発光手段を含む。記憶手段はさらに、光の色を識別するための識別データを機能に対応付けて記憶する。制御手段は、機能の選択に応答して、識別データに対応する色の光を発するように発光手段を制御する。
【００１７】
好ましくは、記憶手段は、少なくとも１つ以上の音声データを機能に対応付けて記憶する。報知手段は、音声データに基づいて音声を出力するための音声出力手段を含む。制御手段は、機能の選択に応答して、音声データに基づく音声を出力するように音声出力手段を制御する。
【００１８】
好ましくは、報知手段は、振動を発生するための発振手段を含む。記憶手段はさらに、発振手段が作動する条件を機能に対応付けて記憶する。制御手段は、機能の選択に応答して、条件に応じて振動を発生するように発振手段を制御する。
【００１９】
好ましくは、携帯通信端末は、利用者が指令を入力するための操作手段と、被写体を撮影して映像信号を出力するための撮像手段と、複数の機能は、撮像手段による被写体の撮影から、出力される映像信号の処理までの動作を含む。記憶手段は、操作手段を介して入力された複数の機能の各々を実行する処理手順をさらに記憶する。生成手段は、処理手順に基づいて、複数の機能を表わす画像の表示のためのデータを生成して出力する。
【００２０】
好ましくは、表示手段は、画面と画像データに基づく画像とを表示するための第１の表示手段と、画面と画像データに基づく画像とを表示するための第２の表示手段とを含む。記憶手段はさらに、第１の表示手段の表示領域に関する第１の表示領域データと、第２の表示手段の表示領域に関する第２の表示領域データとを記憶する。生成手段は、第１の表示領域データと各画像データとに基づいて、表示データを生成するための手段と、第１の表示領域データと各画像データとに基づいて、表示データを生成するための手段とを含む。
【００２１】
好ましくは、携帯通信端末は、第１の筐体と、第１の筐体に対して折り畳み可能な第２の筐体とを含む。操作手段は、第１の筐体および第２の筐体のいずれかの外側に配置される。
【発明の効果】
【００２２】
本発明に係る携帯通信端末によると、待機状態が検出されると、予め設定された機能に対応付けられる画像が表示されるため、ユーザは、容易に他の機能を実行することができる。
【００２３】
本発明に係る携帯通信端末によると、機能に対応付けられる画像の表示のためのデータは、携帯通信端末の表示部の画像表示領域に表示される他の画像の表示のためのデータとは別に生成される。そのため、機能の一覧に加えて、ユーザが予め設定した待ち受け画面あるいは撮影中の被写体の映像も表示される。したがって、ユーザは機能の一覧を参照する際にもこれらの画像を楽しむことができる。特に、ユーザが他の通信相手と通信している場合には、その通信の中断が防止されることを防止できる。
【００２４】
本発明に係る携帯通信端末によると、ユーザは少ない操作キーにより機能の一覧表示を切り替えることができるため、携帯通信端末の利便性が向上する。
【００２５】
本発明に係る携帯通信端末によると、ユーザは表示される画像を任意に設定することができるため、ユーザの使用態様に応じて画像の表示を切り替えることができる。
【発明を実施するための最良の形態】
【００２６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２７】
図１および図２を参照して、本発明に係る携帯通信端末の一態様である携帯電話１００について説明する。図１は、折畳式携帯電話１００の筐体を開いた状態で正面から表わした図である。図２は、筐体を開いた状態で表わした携帯電話１００を背面から示した図である。
【００２８】
図１に示すように、携帯電話１００は、第１の筐体１０４と、第２の筐体１０６と、スピーカ１７４と、メインディスプレイ１５０と、サブカメラ１４２と、メイン操作部１２０と、マイク１７２とを含む。メイン操作部１２０は、カーソル移動キー１２２と、１２キー１２４とを含む。
【００２９】
図２に示すように、携帯電話１００は、第１の筐体１０４に、サブディスプレイ１６０と、サブ操作部１３０と、メインカメラ１４０と、ＬＥＤ（Light Emitting Diode）１７６とを含む。また、携帯電話１００は、第２の筐体１０６にアンテナ１０８を有する。サブ操作部１３０は、サブディスプレイ１６０に表示されるカーソルの移動キー１３０ａ，１３０ｃと、決定キー１３０ｂとを含む。
【００３０】
図３を参照して、本実施の形態に係る携帯電話１００の構成についてさらに説明する。図３は、携帯電話１００の構成を表わしたブロック図である。
【００３１】
図３に示すように、携帯電話１００は、図１および図２に示した構成に加えて、通信部１０２と、制御部１１０と、フラッシュメモリ１４４と、ＲＡＭ（Random Access Memory）１４６と、データ用ＲＯＭ（Read Only Memory）１４８と、音声信号処理部１７０と、データ通信ＩＦ（Interface）１７８と、メモリカード駆動部１８０とを含む。メモリカード駆動部１８０には、メモリカード１８２が装着される。
【００３２】
アンテナ１０８が信号を受信すると、その信号は通信部１０２に入力される。通信部１０２は、入力信号に対して予め定められた処理を実行して出力する。通信部１０２から出力される信号は、制御部１１０に入力される。一方、制御部１１０から出力される送信用の信号は、通信部１０２に入力される。通信部１０２が予め定められた送信処理を実行して出力すると、出力された信号は、アンテナ１０８を介して無線送信される。
【００３３】
メイン操作部１２０は、上記したようにたとえばカーソル移動キー、１２キー１２４その他のボタンを含む。ユーザがメイン操作部１２０を介して指示を入力すると、その指示に対応する信号がメイン操作部１２０から出力され、制御部１１０に入力される。制御部１１０は、その入力信号に対して予め定められた処理を実行する。なお、ユーザによる指示は、たとえばカーソルを移動する指示、カーソルによる項目の選択を確定して実行する指示その他の指示を含む。
【００３４】
また、メイン操作部１２０は、メインディスプレイ１５０に表示される複数の画像の中から、特定の画像（選択候補となる画像）を強調して表示させるための指示を受け付ける。また、メイン操作部１２０は、選択された画像に対する選択の確定の指示を受け付ける。これにより、ユーザが選択した画像が特定される。
【００３５】
サブ操作部１３０は、上記したように、たとえばメイン操作部１２０が有するキーのうちカーソルを移動させるためのキー、あるいはユーザが指定したメニューを選択して実行するためのキーを含む。ユーザがサブ操作部１３０を介して指示を入力すると、その指示に応じた信号はサブ操作部１３０から出力されて、制御部１１０に入力される。制御部１１０は、その信号に基づいて予め定められた処理を実行する。なお、携帯電話１００が開かれた状態である場合にメイン操作部１２０およびサブ操作部１３０のいずれもが操作された場合には、予め定められたいずれかの操作部（たとえばメイン操作部１２０）に対する指示を優先的に実行するようにしてもよい。これにより、相互に排他的な指示の入力があった場合にも、携帯電話１００の誤操作を防ぐことができる。
【００３６】
メインカメラ１４０は、たとえば固体撮像素子ＣＣＤ（Charge Coupled Device）である。メインカメラ１４０は、被写体を撮像してその被写体の映像信号を生成して出力する。出力された信号は、制御部１１０に入力される。制御部１１０は、その信号に対して予め定められた処理を実行して、メインディスプレイ１５０あるいはサブディスプレイ１６０に出力する。この処理には、たとえばメインディスプレイ１５０あるいはサブディスプレイ１６０の画像表示領域の大きさに応じて画像表示用のデータを生成する処理が含まれる。
【００３７】
サブカメラ１４２は、たとえば固体撮像素子ＣＣＤである。ユーザがサブカメラ１４２を介して被写体を撮影すると、映像信号がサブカメラ１４２から出力され、その信号は制御部１１０に入力される。制御部１１０は、その入力信号に対して予め定められた処理を実行し、メインディスプレイ１５０あるいはサブディスプレイ１６０に出力する。この処理には、たとえばメインディスプレイ１５０あるいはサブディスプレイ１６０の画像表示領域の大きさに応じて画像表示用のデータを生成する処理が含まれる。
【００３８】
ユーザがマイク１７２に対して発話すると、その発話に応じた音声信号がマイク１７２から出力される。出力された信号は音声信号処理部１７０に入力される。音声信号処理部１７０は、予め定められた信号処理を実行して制御部１１０に出力する。この処理には、たとえば音声信号の出力レベルの調整が含まれる。制御部１１０は、この信号を通信部１０２に出力し、アンテナ１０８を介して無線送信する。あるいは、制御部１１０は、その信号をデータ通信ＩＦ１７８に出力する。
【００３９】
携帯電話１００がアンテナ１０８を介して受信した音声信号は、通信部１０２と制御部１１０とを経て音声信号処理部１７０に入力される。音声信号処理部１７０は、その信号を予め定められた処理に基づいて変換し、スピーカ１７４に出力する。
【００４０】
フラッシュメモリ１４４は、各処理の実行のためのデータを記憶する。フラッシュメモリ１４４におけるデータ構造および各処理については、後述する。
【００４１】
ＲＡＭ１４６は、制御部１１０が実行する処理データを一時的に格納する。制御部１１０は、ＲＡＭ１４６に格納されるデータを読み出し、予め定められた処理を実行する。この処理には、画像を表示するための表示データの生成が含まれる。
【００４２】
データ用ＲＯＭ１４８は、携帯電話１００が有するアプリケーションプログラム（たとえばメール編集プログラム、画像処理プログラム、音声再生プログラム、その他のプログラム）を記憶する。これらのプログラムは、制御部１１０により読み出されて、予め定められた処理が実行された後、各処理に対応したデータがＲＡＭ１４６に書き込まれる。メインディスプレイ１５０あるいはサブディスプレイ１６０はそのデータに基づいて画像を表示する。
【００４３】
メインディスプレイ１５０は、たとえば液晶ディスプレイであるが、その他の表示装置であってもよい。メインディスプレイ１５０は、制御部１１０により読み出されたデータに基づいて画像を表示する。
【００４４】
サブディスプレイ１６０も同様に、たとえば液晶ディスプレイであるが、その他の表示装置であってもよい。サブディスプレイ１６０は、制御部１１０により読み出されたデータに基づいて画像を表示する。ここで、メインディスプレイ１５０とサブディスプレイ１６０とに表示される画像は、同一のものであってもよいし、あるいは異なる画像が表示されてもよい。たとえばいずれかのディスプレイにはメインカメラ１４０あるいはサブカメラ１４２により撮影された被写体の映像が表示され、他のディスプレイには、フラッシュメモリ１４４その他の記憶手段に格納されているデータ（たとえば受信メールの内容）を表示するようにしてもよい。
【００４５】
ＬＥＤ１７６は、発光手段の一態様である。携帯電話１００の着信あるいはメール受信を検知すると予め定められた発光色に基づいて発光する。この場合、ＬＥＤ１７６は、特定の色に限られず、複数の色を含んでもよい。また、発光手段は、ＬＥＤ１７６に限られず他の態様であってもよい。
【００４６】
データ通信ＩＦ１７８は、たとえば通信ケーブル（図示せず）を介してデータ通信をするためのインターフェイスである。このインターフェイスの態様は、特に限られない。
【００４７】
バイブレータ１８４は、電話の着信、メールの受信その他の状態を報知するための発振手段である。電話あるいはメールの受信が検知されると、制御部１１０は、予め定められた振動周波数に基づいてバイブレータ１８４を発振させる。なお、この発振の態様は、電話の発信者あるいはメール送信者に応じて切換えるようにしてもよい。また、発振手段はバイブレータ１８４に限られない。
【００４８】
メモリカード駆動部１８０は、着脱可能なデータの読込および書込が可能なメモリカード１８２を駆動するためのものである。すなわち、メモリカード１８２がメモリカード駆動部１８０に装着されると、メモリカード１８２に格納されているデータが読み出され、ＲＡＭ１４６に一時的に書込まれる。このように、携帯電話１００に対して着脱可能なデータ記録媒体を備えることにより、ユーザが設定したデータその他携帯電話１００の各記憶手段に格納されているデータを、その他の携帯通信端末に移送することができる。
【００４９】
上記したように、本実施の形態に係る携帯電話１００の機能は、各ハードウェアおよび制御部１１０により実行されるソフトウェアによって実現される。このようなソフトウェアは、フラッシュメモリ１４４、ＲＡＭ１４６、データ用ＲＯＭ１４８等の記憶手段に予め記憶されている場合がある。あるいは、メモリカード１８２その他の着脱可能な情報記録媒体に格納されて流通し、メモリカード駆動装置１８０によりその情報記録媒体から読取られて、フラッシュメモリ１４４に一旦格納される場合もある。そのソフトウェアは、フラッシュメモリ１４４からＲＡＭ１４６に読み出されて、制御部１１０によって実行される。図３に示した携帯電話１００のハードウェア構成は、上記の構成およびその動作の範囲内において、コンピュータ装置に対応し、この範囲内において一般的なものである。したがって、本発明の最も本質的な部分は、フラッシュメモリ１４４、ＲＡＭ１４６、データ用ＲＯＭ１４８、メモリカード１８２その他の記憶手段に記録されたソフトウェアであるともいえる。なお、このコンピュータ装置の各ハードウェアの動作は周知であるので、ここではその説明は繰り返さない。
【００５０】
なお、携帯電話１００は、折り畳み可能な構成でなくてもよい。また、携帯電話１００は、必ずしも複数の表示装置を有する必要はなく、少なくとも１つの表示装置を有していればよい。また、携帯電話１００は、必ずしもメモリカード駆動装置１８０を有する必要はない。また、記憶手段の構成は、図３に示したような構成に限られず、携帯電話１００は少なくとも１つの記憶手段を有していればよい。
【００５１】
図４を参照して、本実施の形態に係る携帯電話１００におけるデータ構造について説明する。図４は、フラッシュメモリ１４４におけるデータの格納の一態様を概念的に表わす図である。
【００５２】
図４に示すように、機能を表わすデータは、データ領域Ｄ４１０に格納される。ここで機能とは、携帯電話１００が有するアプリケーションプログラムを実現するために実行される個別の処理をいう。この処理には、たとえばｉｄｌｅ中の電話着信時における留守録応答あるいは、応答メールの送信、電話着信時における着信拒否の処理、メール編集モードにおける受信メールの閲覧処理、その他の処理が含まれる。また、機能は、必ずしも１つの処理から構成されなくてもよい。すなわち、複数の処理が１つの機能を構成してもよい。
【００５３】
その機能に対応付けられるアイコン(画像）を識別するための識別データ（たとえば、ＩＤ（Identification）番号）は、データ領域Ｄ４２０に格納される。この識別データは、たとえばアイコンの画像データのファイル名であったり、予め定められた基準に基づいて付与された番号であったりする。
【００５４】
データが格納されているアドレスは、データ領域Ｄ４３０に格納される。このアドレスは、すなわちデータ領域Ｄ４２０に示した識別データの実態が保管されている場所を表わす。このアドレスは、同一の記憶手段内のアドレスであってもよいし、他の記憶手段のアドレスであってもよい。
【００５５】
イベントモードを表わすデータは、データ領域Ｄ４４０に格納される。ここでイベントモードとは、携帯電話１００が有するアプリケーションにおいて、各画面が表示されている場合の状態をいう。たとえば電源がＯＮである場合には、ｉｄｌｅモード、すなわち待受けモードとなる。また、ユーザが特定の処理を実行してメール編集画面を表示した場合には、イベントモードは、メール編集モードとなる。また、カメラを起動させて撮影可能な状態にした場合には、メインディスプレイ１５０、あるいはサブディスプレイ１６０には、メインカメラ１４０あるいはサブカメラ１４２により撮影された被写体が表示される。この場合、イベントモードはカメラモードとなる。なお、イベントモードの種類は図４に示した例に限られず、携帯電話１００が有する機能に応じてその他のモードが定められてもよい。
【００５６】
ショートカット機能が有効であるか否かを表わすデータは、データ領域Ｄ４５０に格納される。このデータは、いずれかのアイコンが選択された場合に、そのアイコンに対応付けられた機能が実際に作動することができるか否かを設定するためのデータである。ユーザがその設定画面においてショートカット機能を有効に設定した場合には、アイコンに対応付けられる機能は実行可能である。一方、ユーザがショートカット機能を無効に設定した場合には、アイコンが選択されて押下されても、そのアイコンに対応付けられる機能は実行不可能である。このようにすると、表示されているアイコンに対応付けられる機能を一時的に有効にしたりあるいは無効にしたりすることができる。なお、フラッシュメモリ１４４におけるデータ構造は、図４に示した態様に限られずその他の態様であってもよい。
【００５７】
図５を参照して、本実施の形態に係る携帯電話１００におけるデータ構造についてさらに説明する。図５は、フラッシュメモリ１４４における報知用データの格納の一態様を概念的に表わす図である。
【００５８】
図５に示すように、たとえばアイコンを表示するためのアイコンデータは、データ領域Ｄ５１０，Ｄ５１２，Ｄ５１４に格納される。なお、これらのデータ領域に格納されるデータ（たとえば「第１のアイコン．ＪＰＧ」）は、予め携帯電話１００の製造時に格納されているデータであってもよいし、あるいは携帯電話１００を介して外部から取得したデータ（たとえば撮影した画像、あるいは受信データに基づいて生成した画像）、あるいはユーザが編集して作成した画像データであってもよい。
【００５９】
音声データは、データ領域Ｄ５２０，Ｄ５２２，Ｄ５２４などのデータ領域に格納される。各音声データは、予めフラッシュメモリ１４４に記憶されたデータであってもよいし、アンテナ１０８あるいはデータ通信ＩＦ１７８あるいはメモリカード１８２を介して外部から取得した音声データであってもよい。なお、音声データのデータ形式は特に限られない。
【００６０】
バイブレータ１８４を発振させるためのデータは、データ領域Ｄ５３０，Ｄ５３２，Ｄ５３４に格納される。このデータは、たとえば振動の周波数あるいは強度である。このデータが制御部１１０により読み出されると、バイブレータ１８４はそのデータに基づいて発振する。
【００６１】
図６を参照して、本実施の形態に係る携帯電話１００におけるデータ構造についてさらに説明する。図６は、フラッシュメモリ１４４におけるイベントモードを表わすデータとアイコンの表示パターンを表わすデータとの対応関係を概念的に表わした図である。
【００６２】
ｉｄｌｅモード（待ち受けモード）には、第１のパターンが対応付けられる。この第１のパターンは、データ領域Ｄ６１０に格納される。メール編集モードには、第２のパターンが対応付けられる。第２のパターンを表わすデータは、データ領域Ｄ６２０に格納される。カメラモードには、第３のパターンが対応付けられる。第３のパターンを表わすデータは、データ領域Ｄ６３０に格納される。第ｘのモードには、第ｎのパターンが対応付けられる。第ｎのパターンを表わすデータは、データ領域Ｄ６４０に格納される。
【００６３】
ここで、第１から第ｎのパターンを表わすデータは、たとえばメインディスプレイ１５０あるいはサブディスプレイ１６０にアイコンを表示するために予め設定された位置情報を含む。ここで位置情報とは、アイコンを行方向に表示するための情報、列方向に表示するための情報、あるいは１２キーの配列に対応させて表示するための情報等を含む。このような位置情報の態様については後述する。
【００６４】
図７を参照して、本実施の形態に係る携帯電話１００におけるデータ構造についてさらに説明する。図７は、携帯電話１００のＲＡＭ１４６におけるデータの格納の一態様を概念的に表わす図である。
【００６５】
図７に示すように、データ領域Ｄ７０２〜Ｄ７１０には、アイコンをメインディスプレイ１５０の行方向に整列して表示させるための位置データが格納される。たとえば第１の表示位置（１００，１００）は、１つ目のアイコンをメインディスプレイ１５０の左下の位置に表示させるためのデータである。データ領域Ｄ７０４に格納されるデータは、データ領域Ｄ７０２に格納されるデータに基づいて表示されるアイコンの右隣に表示させるためのデータである。制御部１１０が、データ領域Ｄ７０２〜Ｄ７１０に格納されている位置データを対応付けて画像データを読み出すと、メインディスプレイ１５０の画像表示領域には、各画像データに対応する５つのアイコンが行方向に表示される。
【００６６】
図７を再び参照して、データ領域Ｄ７１２〜Ｄ７２０に格納されるデータは、５つのアイコンをメインディスプレイ１５０の最も右の列に表示させるための位置データである。制御部１１０が、これらのデータを対応付けて画像データを読み出すと、各画像データに対応する５つのアイコンが、メインディスプレイ１５０の画像表示領域の最も右の列に表示される。
【００６７】
同様に、データ領域Ｄ７２２〜Ｄ７４６に格納されるデータは、メインディスプレイ１５０の画像表示領域において、最上部の行方向、最下部の行方向および最も右の列に、１３個のアイコンを、表示させるためのデータである。制御部１１０が、データ領域Ｄ７２２〜Ｄ７４６に格納されているデータを画像データに対応付けて読み出すと、１３個のアイコンが上記の配列にしたがって、メインディスプレイ１５０に表示される。
【００６８】
なお、図７に示したデータに基づいて表示されるアイコンの出力先は、メインディスプレイ１５０に限られない。同様にしてサブディスプレイ１６０に出力させることもできる。この場合、メインディスプレイ１５０の画像表示領域の大きさとサブディスプレイ１６０の画像表示領域の大きさとが異なる場合には、図７の各データ領域に示した位置データをいずれかのディスプレイの画像表示領域の大きさに合わせて変換すればよい。これにより、画像表示領域の大きさの異なる複数のディスプレイを有する携帯通信端末においても、複数のアイコンを整列して表示させることができる。また、各ディスプレイに表示されるアイコンの数は上記の数に限られない。
【００６９】
ここで、図８を参照して、本実施の形態に係る携帯電話１００のメインディスプレイ１５０におけるアイコンの表示位置について説明する。図８は、メインディスプレイ１５０の画像表示領域におけるアイコンの表示態様を概念的に表わす図である。
【００７０】
メインディスプレイ１５０は、たとえば画像表示領域のいずれかの行方向に、５つのアイコンを配列して表示することができる。この場合、たとえばアイコン８０２〜アイコン８１０、あるいはアイコン８１８〜アイコン８２６が表示される。このとき、アイコン８０２の表示位置はたとえば画像表示領域におけるドット表示を使用して、（１００，１００）と表わされる。同様にしてアイコン８０２の右隣に表示されるアイコン８０４は、その表示位置は（２００，１００）と表わされる。
【００７１】
一方、５つのアイコンが列方向にメインディスプレイ１５０に表示される場合には、その表示位置においてＹ座標の値が異なる位置データが割り当てられる。たとえばアイコン８１８の位置データは（５００，５００）と表わされる。そのアイコンの下に表示されるアイコン８１６は、その位置データとして（５００，４００）を有する。このようにして各アイコンの表示位置のＹ座標の値を変更することにより、メインディスプレイ１５０の列方向に複数のアイコンを表示させることができる。なお、ディスプレイの画像表示領域における位置データの表示の態様は、図８に示した態様に限られない。
【００７２】
図９を参照して、本実施の形態に係る携帯電話１００におけるデータ構造について、さらに説明する。図９は、フラッシュメモリ１４４における各機能の実績データの格納の一態様を表わす図である。
【００７３】
図９に示すように、携帯電話１００が実行することができるそれぞれの機能は、フィールドＦ９１０に格納される。各機能が実際に起動された回数は、フィールドＦ９１２に格納される。各機能が最後に起動された日時を表わすデータは、フィールドＦ９１４に格納される。
【００７４】
たとえばｉｄｌｅ中（待ち受け中）の電話着信時における留守録応答および応答メールの送信機能は、起動回数が１１１回であり、最終起動日時は２００４年１月１３日１２時３４分５６秒である（データレコードＲ９０２）。同様にして、ｉｄｌｅ中の電話着信時における着信拒否機能については、２２２回起動され、最終的に起動された日時は、２００４年２月２９日１時１分１秒である（データレコードＲ９０４）。このようにして格納されるデータに対して、それぞれの機能に対応する処理が実行されると、その処理の実行回数（フィールドＦ９１２）は「１」増加する。またその機能が実行されたときの日時は更新され、そのデータはフィールドＦ９１４に上書きされる。なお、各機能の実績データの格納の態様については、図９に示した態様に限られない。
【００７５】
図１０を参照して、本実施の形態に係る携帯電話１００におけるデータ構造について、さらに説明する。図１０（Ａ）は、直近に使用された機能に応じたアイコンを優先的に表示させるためのデータの格納の一態様を表わす図である。図１０（Ｂ）は、第ｎのアイコンに対応付けられる機能が実行された後におけるデータ構造を表わす図である。
【００７６】
図１０（Ａ）を参照して、第１の優先順位を有する第１のアイコンの識別データは、データ領域Ｄ１００２に格納される。第２の優先順位を有する第２のアイコンの識別データは、データ領域Ｄ１００４に格納される。同様にして第３〜第１０の優先順位を有する各アイコンの識別データは、データ領域Ｄ１００６〜Ｄ１０２０に格納される。なお、ここでは優先順位が付けられるアイコンの数は１０としてデータ構造を表わしているが、優先順位が付けられるアイコンの数はこれに限られずその他の数であってもよい。
【００７７】
図１０（Ｂ）を参照して、このようなデータ構造において、ユーザが第ｎのアイコンを選択した場合には、そのアイコンの識別データが最新に使用されたデータとして、データ領域Ｄ１００２に格納される。そのため、データ領域Ｄ１００２〜Ｄ１０１８に格納されていたデータは、順次データ領域Ｄ１００４〜Ｄ１０２０の領域に格納される。このようにすると、制御部１１０が各アイコンを表示させるために各データ領域に格納されているアイコンの識別データを読み出した場合には、第ｎのアイコンが第１の優先順位を有するため、その優先順位に与えられた位置に表示される。
【００７８】
図１１を参照して、本実施の形態に係る携帯電話１００の制御構造について説明する。図１１は、携帯電話１００の制御部１１０が実行するアイコン登録処理の手順を表わすフローチャートである。この処理は、ユーザが予め定められたキー操作を実行して、アイコン登録処理メニューを表示させた場合に実行される。
【００７９】
ステップＳ１１０２にて、制御部１１０は、ｉｄｌｅ画面の表示のためのデータを出力する。ステップＳ１１０４にて、制御部１１０は、アイコンの登録画面への表示の切換を実行する。ステップＳ１１０６にて、制御部１１０は、アイコン登録メニュー表示指令を出力する。これによりメインディスプレイ１５０には、アプリケーションが有する各機能とアイコンとを対応付けて登録するためのメニューが表示される。
【００８０】
ステップＳ１１０８にて、制御部１１０は、フラッシュメモリ１４４からアイコンの画像データを読み出す。このデータが読み出されると、メインディスプレイ１５０には、各データに基づいた画像が表示される。
【００８１】
ステップＳ１１１０にて、制御部１１０は、ユーザによるメイン操作部１２０の操作に基づいて、機能に対応付けられるアイコンが選択されたことを検知する。この検知は、たとえばアイコンの表示位置とメイン操作部１２０からの操作指令とが一致するか否かを判断して行なわれる。
【００８２】
ステップＳ１１１２にて、制御部１１０は、アイコンを既に登録済みであるか否かを判断する。この判断は、たとえばフラッシュメモリ１４４に格納されているアイコンの登録データに基づいて行なわれる。アイコンが既に登録済みである場合には（ステップＳ１１１２にてＹＥＳ）、処理はステップＳ１１１０に移される。そうでない場合には（ステップＳ１１１２にてＮＯ）、処理はステップＳ１１１６に移される。
【００８３】
ステップＳ１１１６にて、制御部１１０は、アイコンの選択は確定したか否かを判断する。この判断は、たとえばユーザがメイン操作部１２０に含まれる決定ボタン（図示しない）を押下したか否かを検知することにより行なわれる。アイコンの選択が確定した場合には（ステップＳ１１１６にてＹＥＳ）、処理はステップＳ１１１８に移される。そうでない場合には（ステップＳ１１１６にてＮＯ）、処理はステップＳ１１１０に戻される。
【００８４】
ステップＳ１１１８にて、制御部１１０は、機能の識別番号と選択されたアイコンの識別番号とを対応付けてフラッシュメモリ１４４に格納する（図４）。
【００８５】
なお、図１１に示した登録処理と同様に、携帯電話１００が表示可能な画面をアイコンその他の画像に対応付けることもできる。すなわち、ステップＳ１１１０において実行される処理、すなわち機能に対応付けられるアイコンの入力処理と同様に、画面の名称あるいは識別番号等の識別情報をアイコンに対応付けてもよい。この場合、ステップＳ１１１８における処理と同様にして、画面の識別情報とアイコンの識別番号とがフラッシュメモリ１４４に格納される。このようにすると、携帯電話１００のメインディスプレイ１５０あるいはサブディスプレイ１６０における画面の表示の遷移に応答して、新たに表示される画面に対応したアイコンが表示可能になる。
【００８６】
図１２を参照して、本実施の形態に係る携帯電話１００における制御構造についてさらに説明する。図１２は、制御部１１０が実行するアイコンバー表示処理の手順を表わすフローチャートである。ここで、アイコンバーとは、複数のアイコンを１つのグループとして表示する態様をいう。この処理は、たとえば、携帯電話１００における設定がアイコンバーの表示を実行する設定となっている場合に実行される。
【００８７】
ステップＳ１２０２にて、制御部１１０は、アプリケーションに応じた画面の表示指令を検知する。この検知は、たとえばアプリケーションを特定するためのデータを取得することにより行なわれる。
【００８８】
ステップＳ１２０４にて、制御部１１０は、表示される画面の識別情報を取得する。ここで表示される画面とは、アプリケーションの実行に応じて表示される画面をいう。この画面には、たとえばメールの編集画面、カメラが起動している場合には、撮影された被写体を表示する画面、あるいは通話相手の情報を記録した電話帳データを表示する画面などが含まれる。
【００８９】
ステップＳ１２０６にて、制御部１１０は、ＲＡＭ１４６から、画面の識別情報に対応した機能アイコンのデータを読み出す。ステップＳ１２０８にて、制御部１１０は、読み出したデータに予め設定されたユーザ設定を反映させてメインディスプレイ１５０に表示させるための表示用データを生成する。この処理では、メモリに格納されていたデータに対してユーザ設定（たとえば頻度情報に基づく並べ替え、あるいは直近の使用実績に基づく並べ替えなど）に基づいて、機能アイコンのデータを並べ替えて、表示のためのデータが生成される。
【００９０】
ステップＳ１２１０にて、制御部１１０は、生成した表示用データに基づいて機能アイコンを表示する。これによりメインディスプレイ１５０は、各アイコンを表示する。このアイコンの表示の態様については後述する。
【００９１】
ステップＳ１２１２にて、制御部１１０は、フラッシュメモリ１４４に機能アイコンの表示の実績を格納する。このようにして実績データを格納することにより、たとえばユーザが特定の優先順位に基づいてアイコンを選択的に表示させる場合には、そのユーザ設定に応じた表示が可能になる。
【００９２】
ステップＳ１２１４にて、制御部１１０は、画面の切換指令を検知したか否かを判断する。この判断は、たとえばメインディスプレイ１５０に表示されている画面の識別情報が変化したか否かに基づいて行なわれる。画面の切換指令が検知された場合には（ステップＳ１２１４にてＹＥＳ）、処理はステップＳ１２０４に戻される。そうでない場合には（ステップＳ１２１４にてＮＯ）、処理はステップＳ１２１６に移される。
【００９３】
ステップＳ１２１６にて、制御部１１０は、アイコンバーの表示ＯＦＦの指令を検知したか否かを判断する。この判断は、たとえばユーザがメイン操作部１２０を操作してアイコンバーを非表示にするための操作を実行したか否かの検知結果に基づいて行なわれる。たとえば特定の操作キーに対して表示ＯＦＦの機能を対応付けている場合には、このような検知を行なうことができる。アイコンバーの表示ＯＦＦの指令を検知した場合には（ステップＳ１２１６にてＹＥＳ）、処理はステップＳ１２１８に移される。そうでない場合には（ステップＳ１２１６にてＮＯ）、処理は終了する。
【００９４】
ステップＳ１２１８にて、制御部１１０は、表示用データの読出を終了する。これにより、メインディスプレイ１５０にアイコンバーが表示されていた場合には、そのバーの表示が消える。
【００９５】
図１３を参照して、本実施の形態に係る携帯電話１００における制御構造についてさらに説明する。図１３は、制御部１１０が実行する選択機能起動処理の手順を表わすフローチャートである。この処理は、たとえばユーザが表示されたアイコンバーから特定の機能アイコンを選択して、決定ボタン（図示しない）を押下した場合に実行される。
【００９６】
ステップＳ１３０２にて、制御部１１０は、機能アイコンの選択を検知する。ステップＳ１３０４にて、制御部１１０は、選択された機能アイコンに対応付けられる機能を特定する。この特定は、フラッシュメモリ１４４に格納されている機能アイコンのデータに基づいて行なわれる。
【００９７】
ステップＳ１３０６にて、制御部１１０は、特定した機能が実行可能であるか否かを判断する。この判断は、その機能を実行するためのプログラムが存在するか否かを確認することにより行なわれる。その機能が実行可能である場合には（ステップＳ１３０６にてＹＥＳ）、処理はステップＳ１３０８に移される。そうでない場合には（ステップＳ１３０６にてＮＯ）、処理はステップＳ１３２０に移される。
【００９８】
ステップＳ１３０８にて、制御部１１０は、特定した機能の実行指令を出力する。ステップＳ１３２０にて、制御部１１０は、予め定められたエラー処理を実行する。この処理には、たとえばその機能が実行不可能であることを通知するメッセージの出力、あるいはＬＥＤ１７６による発光（たとえば赤色ＬＥＤの発光）、あるいはバイブレータ１８４の発振その他の報知動作が含まれる。
【００９９】
図１４を参照して、本実施の形態に係る携帯電話１００の制御構造についてさらに説明する。図１４は、制御部１１０が実行するアイコンの表示処理の手順を表わすフローチャートである。この処理は、アイコンバーが既に表示されている場合に、割込イベントが発生したときに実行される。すなわち、アイコンバー表示処理（ステップＳ１２００）が実行されているときに、さらに割込イベントが発生すると実行される。ここで、割込みイベントとは、既に実行中の処理と異なる処理の実行をもたらす状態をいう。たとえば、この状態には、メールの編集中における電話の着信、あるいは、ユーザの操作による画面の表示の切換等が含まれる。
【０１００】
ステップＳ１４０４にて、制御部１１０は、割込イベントの発生を検知する。この検知は、たとえば外部からの信号入力の検知、あるいは表示される画面の識別番号の変更を検知することにより行なわれる。
【０１０１】
ステップＳ１４０６にて、制御部１１０は、割込イベントの識別データを取得する。ステップＳ１４０８にて、制御部１１０は、ＲＡＭ１４６から割込イベントに応じたアイコンデータを読み出す。
【０１０２】
ステップＳ１４１０にて、制御部１１０は、既に表示されていた機能アイコンのデータの表示色を変更した変更データを生成する。たとえば、アイコンが予め設定された色により表示されている場合にこの処理が実行されると、そのアイコンの表示はグレーアウトされる。
【０１０３】
ステップＳ１４１２にて、制御部１１０は、ユーザ設定に基づいてアイコンデータと変更データとから表示データを生成する。たとえば割込イベントに応じた機能を優先的に実行するようにユーザが設定している場合には、その割込イベントに対応したアイコンデータにアイコンバーの中央部の位置データが対応付けられる。この場合、生成される表示データは、そのアイコンを中央部に表示させるためのデータが反映されている。したがって、既に中央部に表示されていたアイコンの表示のためのデータは、その中央部に隣接する位置（たとえば左右のいずれか、あるいは上下のいずれか）のデータを反映して生成される。
【０１０４】
ステップＳ１４１４にて、制御部１１０は、メインディスプレイ１５０に表示データを出力する。これによりメインディスプレイ１５０は、ステップＳ１２０２の実行時に表示していた機能アイコンに加えて、割込イベントに対応した機能アイコンを表示する。このとき、割込イベントに応じた機能アイコンの表示のために、既に表示されていた機能アイコンのうちいずれか１つのアイコンは表示されなくなる。
【０１０５】
ステップＳ１４１６にて、制御部１１０は、表示した機能が選択されたか否かを判断する。この判断は、たとえばユーザがメイン操作部１２０を介して機能アイコンを選択し、決定ボタンを押下したか否かに基づいて行なわれる。表示した機能が選択された場合には（ステップＳ１４１６にてＹＥＳ）、処理はステップＳ１４１８に移される。そうでない場合は（ステップＳ１４１６にてＮＯ）、処理はステップＳ１４３０に移される。
【０１０６】
ステップＳ１４１８にて、制御部１１０は、機能アイコンの選択の実績を履歴に反映して、重み付けデータを算出する。ステップＳ１４２０にて、制御部１１０は、算出した重み付けデータをフラッシュメモリ１４４のデータ領域に格納する。ステップＳ１４２２にて、制御部１１０は、選択された機能アイコンに応じた機能を実行する。ステップＳ１４３０にて、制御部１１０は、表示中のアプリケーションすなわち割込イベントの発生前に既に実行されていたアプリケーションの処理を継続する。
【０１０７】
図１５を参照して、本実施の形態に係る携帯電話１００の制御構造についてさらに説明する。図１５は、制御部１１０が実行する頻度実績更新処理の手順を表わすフローチャートである。この処理は、たとえば携帯電話１００が有する各機能の実行が検知された場合に行なわれる。ここで機能の実行には、アイコンの選択によりダイレクトに機能を実行する場合および従来有するメニューを介して機能を実行する場合のいずれもが含まれる。
【０１０８】
ステップＳ１５０２にて、制御部１１０は、アプリケーション画面を表示する。ここで、アプリケーション画面とは、いずれかの機能を実行する場合に最初に表示される画面をいう。ステップＳ１５０４にて、制御部１１０は、機能の選択を検知する。ステップＳ１５０６にて、制御部１１０は、フラッシュメモリ１４４の記憶領域から作業領域に、機能の選択の実績データを読み出す。
【０１０９】
ステップＳ１５０８にて、制御部１１０は、選択を検知した機能の実績データを「１」カウントアップする。ステップＳ１５１０にて、制御部１１０は、フラッシュメモリ１４４の記憶領域に更新した実績データを格納する。
【０１１０】
図１６を参照して、本実施の形態に係る携帯電話１００の制御構造についてさらに説明する。図１６は、制御部１１０が実行する表示用データの生成処理の手順を表わすフローチャートである。この処理は、ユーザが優先順位に基づく表示を有効に設定している場合に実行される。
【０１１１】
ステップＳ１６０２にて、制御部１１０は、機能アイコンの選択を検知する。ステップＳ１６０４にて、制御部１１０は、機能アイコンのそれぞれの実績データをＲＡＭ１４６の作業領域に読み出す。ステップＳ１６０６にて、制御部１１０は、優先表示のユーザ設定が有効であるか否かを判断する。優先表示のユーザ設定が有効である場合には（ステップＳ１６０６にてＹＥＳ）、処理はステップＳ１６０８に移される。そうでない場合には（ステップＳ１６０６にてＮＯ）、処理は終了する。
【０１１２】
ステップＳ１６０８にて、制御部１１０は、ユーザ設定を反映させて機能アイコンの表示用データを生成する。ステップＳ１６１０にて、制御部１１０は、表示用データに基づいて機能アイコンを表示する。ステップＳ１６１２にて、制御部１１０は、選択された機能アイコンに対応する機能を実行する。
【０１１３】
図１７を参照して、本実施の形態に係る携帯電話１００の制御構造についてさらに説明する。図１７は、制御部１１０が実行するアイコンバーの表示／非表示切換処理の手順を表わすフローチャートである。この処理は、たとえばアイコンバーの表示中にユーザが予め定められた操作キーを押下して非表示を指示した場合、あるいはアイコンバーが非表示のときにユーザが表示指示を入力した場合に実行される。
【０１１４】
ステップＳ１７０４にて、制御部１１０は、メイン操作部１２０の特定の操作キーの押下を検知する。ステップＳ１７０６にて、制御部１１０は、操作キーがアイコンバーの非表示機能に対応付けられているキーであるか否かを判断する。この判断は、たとえば押下されたキーに非表示機能が対応付けられているか否かに基づいて行われる。操作キーがアイコンバーの非表示機能に対応付けられている場合には（ステップＳ１７０６にてＹＥＳ）、処理はステップＳ１７０８に移される。そうでない場合には（ステップＳ１７０６にてＮＯ）、処理はステップＳ１７１２に移される。
【０１１５】
ステップＳ１７０８にて、制御部１１０は、アイコンバーは既に非表示であるか否かを判断する。アイコンバーが既に非表示である場合には（ステップＳ１７０８にてＹＥＳ）、処理はステップＳ１７１２に移される。そうでない場合には（ステップＳ１７０８にてＮＯ）、処理はステップＳ１７１０に移される。
【０１１６】
ステップＳ１７１０にて、制御部１１０は、機能アイコンのデータの出力を終了する。これにより、アイコンバーは、メインディスプレイ１５０において非表示に設定される。
【０１１７】
ステップＳ１７１２にて、制御部１１０は、メイン操作部１２０の操作キーの押下を検知する。
【０１１８】
ステップＳ１７１４にて、制御部１１０は、操作キーはアイコンバーの表示機能に対応付けられているキーであるか否かを判断する。この判断は、たとえば押下されたキーにアイコンバーの表示機能が対応付けられているか否かに基づいて行われる。操作キーがアイコンバーの表示機能に対応付けられている場合には（ステップＳ１７１４にてＹＥＳ）、処理はステップＳ１７１６に移される。そうでない場合には（ステップＳ１７１４にてＮＯ）、処理はステップＳ１７０４に戻される。
【０１１９】
ステップＳ１７１６にて、制御部１１０は、アイコンバーは既に表示されているか否かを判断する。アイコンバーが既に表示されている場合には（ステップＳ１７１６にてＹＥＳ）、処理はステップＳ１７０４に戻される。そうでない場合には（ステップＳ１７１６にてＮＯ）、処理はステップＳ１２００に移される。
【０１２０】
以上のような構造およびフローチャートに基づく、本実施の形態に係る携帯電話１００の動作について、表示される画面を参照しつつ説明する。図１８〜図２６は、それぞれ携帯電話１００のメインディスプレイ１５０における画面表示の態様を表わす図である。
【０１２１】
［アイコン登録処理］
携帯電話１００がｉｄｌｅ画面を表示している間に（ステップＳ１１０２）、ユーザがアイコン登録画面への表示の切換を指示すると（ステップＳ１１０４）、フラッシュメモリ１４４からアイコンの画像データが読み出され、メインディスプレイ１５０は、それぞれのアイコンを表示する（ステップＳ１１０８）。ユーザが対応付けを希望する機能に対してアイコンを選択すると（ステップＳ１１１０）、そのアイコンが既に登録済みでない場合には（ステップＳ１１１２にてＮＯ）、画面の表わす機能の識別番号とアイコンの識別番号とが対応付けられてフラッシュメモリ１４４に格納される（ステップＳ１１１８）。このようにして、携帯電話１００において、ユーザは各機能に対してアイコンを対応付けることができる。
【０１２２】
［アイコンバー表示処理］
ユーザが携帯電話１００に対して、アイコンバーの表示処理を有効に設定している場合には、メインディスプレイ１５０における画面の切換が検知され（ステップＳ１２０２）、その画面の識別情報が取得される（ステップＳ１２０４）。その画面に対応付けられる機能アイコンのデータが読み出され、表示用データが生成されると（ステップＳ１２０８）、機能アイコンがメインディスプレイ１５０に表示される（ステップＳ１２１０、図８（Ａ））。
【０１２３】
ここで図１８（Ａ）を参照して、アイコンバー１８１０は、予め５つの機能アイコンを表示するように設定されている。また、アイコンバー１８１０の両端に矢印１８０２，１８０４があるため、ユーザはメイン操作部１２０の左右の移動キー１８０６を操作することにより、アイコンバー１８１０に表示される個別の機能アイコンの表示を順次切り換えることができる。
【０１２４】
このようにしてメインディスプレイ１５０にアイコンバー１８１０が表示されているとき、ユーザが画面をさらに切り換えると（ステップＳ１２１４にてＹＥＳ）、切り換え後の画面に応じた機能アイコンが読み出されて、新たなアイコンバー１８１０が表示される。また、ユーザがそのような切換を行なわず、またアイコンバーの表示ＯＦＦを指令しない場合には（ステップＳ１２１６にてＮＯ）、そのアイコンバー１８１０はそのまま表示される。
【０１２５】
ここで、図１８（Ｂ）を参照して、アイコンバー１８１０に含まれる各機能アイコンについて説明する。図１８（Ｂ）に示すように、たとえば特定の機能アイコンに対して具体的な表示を避けるために予め定められた特定のバータ１８２０を使うことができる。このようなバータ１８２０を使用することにより、特定の機能の表示をその機能の内容と無関係な表示にすることができるため、携帯電話１００のユーザのプライバシーを保護することができる。
【０１２６】
次に、図１９を参照して、本実施の形態に係る携帯電話１００のメインディスプレイ１５０におけるアイコンバー１８１０の表示態様について説明する。図１９（Ａ）および（Ｂ）は、それぞれメインディスプレイ１５０におけるアイコンバー１８１０の表示の態様を表わす図である。
【０１２７】
図１９（Ａ）に示すように、アイコンバー１８１０を水平方向に表示する設定がされている場合には、アイコンバー１８１０は、行方向に切換表示が可能なように表示される。一方、アイコンバー１８１０の表示が列方向に表示する設定が有効である場合には、図１９（Ｂ）に示すように、メインディスプレイ１５０の右端あるいは左端にそのアイコンバー１８１０が表示される。なお、このアイコンバー１８１０の表示の態様は、既に表示中に特定の操作キー（図示しない）を操作することによってユーザが変更可能であってもよい。あるいは表示される画面に応じて予め切換可能な設定であってもよい。
【０１２８】
［選択機能起動処理］
次に、アイコンバーが表示されている場合に特定の機能アイコンが選択された場合における携帯電話１００の動作について説明する。携帯電話１００が特定の画面の表示中にその画面に関連した機能アイコンを有するアイコンバーを表示している場合、ユーザが特定の機能アイコンを選択すると（ステップＳ１３０２）、そのアイコンに対応付けられる機能が特定される（ステップＳ１３０４）。特定された機能が実行可能である場合には（ステップＳ１３０６にてＹＥＳ）、その機能の実行指令が出力され（ステップＳ１３０８）、その機能が実際に実現される。このようにすると、その機能を実行するためにユーザはメニューを再び表示させる必要がないため、容易にかつ速やかにその機能を開始することができる。
【０１２９】
［割込イベント発生時アイコン表示処理］
次に既にアイコンバー１８１０が表示されている場合に割込イベントが発生した場合における携帯電話１００の動作について、図２０を参照しつつ説明する。
【０１３０】
図２０（Ａ）は、携帯電話１００のメインディスプレイ１５０がｉｄｌｅ状態である場合における表示画面を表わす図である。図２０（Ｂ）は、電話の着信があった場合におけるメインディスプレイ１５０の表示画面を表わす図である。
【０１３１】
携帯電話１００がｉｄｌｅ中である場合に、予め定められたアイコンバー１８１０が表示される（ステップＳ１２００、図２０（Ａ））。携帯電話１００の待受け中に電話の着信があると（ステップＳ１４０４）、電話の着信の識別データが取得される（ステップＳ１４０６）。フラッシュメモリ１４４から電話の着信に応じたアイコンデータが読み出される（ステップＳ１４０８）。
【０１３２】
ここで図２０（Ａ）を参照して、アイコンバー１８１０に含まれる各アイコン２００２〜２００８は、機能に対応付けられた画像であればよい。たとえば機能の内容を暗示する画像に加えて、記号あるいは文字であってもよい。
【０１３３】
既にメインディスプレイ１５０に表示されていた機能アイコンのデータに関し、そのデータの表示色が変更されたデータが生成される（ステップＳ１４１０）。電話の着信に応じたアイコンデータと生成されたデータとに基づいてメインディスプレイ１５０に機能アイコンを再び表示するためのデータが生成される（ステップＳ１４１２）。生成されたデータがメインディスプレイ１１５０に出力されると（ステップＳ１４１４）、携帯電話１００のメインディスプレイ１５０は、予め定められたユーザ設定に基づいて電話の着信に応じた機能アイコンがアイコンバー１８１０の中央部に表示され、他のアイコンはそのアイコンの左右に表示される（図２０（Ｂ））。
【０１３４】
ここで、図２０（Ｂ）を参照して、アイコン２０１０は、強調されて表示される。このアイコン２０１０は、たとえば留守録応答に加えて、「今忙しいので後で電話します」とメール送信する機能に対応付けられている。アイコン２０２０は、たとえば第１の留守録応答の機能が対応付けられている。この機能は、たとえば「ただいま留守にしております。。。」というメッセージによる応答機能である。アイコン２０３０は、たとえば第２の留守録応答の機能が対応付けられている。この機能は、たとえば「５時には家に戻ります。かけなおしてください。。。」というメッセージによる応答機能である。アイコン２０４０は、たとえば着信拒否の機能である。アイコン２０５０は、たとえばＴＶ電話による着信の場合における音声のみの出力の機能である。なお、図２０（Ｂ）に示されるアイコンに対応付けられる機能はその他の機能であってもよい。
【０１３５】
その後、ユーザが電話の着信に応じた機能アイコンを選択すると（ステップＳ１４１６にてＹＥＳ）、その選択の実績が利益に反映され重み付けデータが算出される（ステップＳ１４１８）。このデータがメモリに格納され（ステップＳ１４２０）、ユーザが選択した機能が実行される（ステップＳ１４２２）。
【０１３６】
ここで、図２１を参照して、本実施の形態に係る携帯電話１００における表示態様についてさらに説明する。図２１は、携帯電話１００に割込イベントが発生した場合におけるメインディスプレイ１５０の表示の態様を表わす図である。
【０１３７】
図２１（Ａ）に示すように、携帯電話１００がたとえばカメラ撮影モードである場合には、アイコンバー１８１０がメインディスプレイ１５０の右の列に表示される。このアイコンバー１８１０に含まれる各アイコンには、それぞれ、動画撮影、バーコード認識、ＯＣＲ、サイズの変更、画像エフェクトの機能が対応付けられている。
【０１３８】
このような状態において、携帯電話１００にメールが着信すると、図２１（Ｂ）に示すように、アイコンバー１８１０には、メールの処理に関するアイコンが表示される。この場合、たとえばアイコンバー１８１０の中央部の位置の優先順位が最も高い設定である場合には、図２１（Ｂ）に示すように、着信したメールを閲覧するための機能が対応付けられたアイコンが強調されて表示される。この強調の態様には、たとえば図２１（Ｂ）に示したような周囲を強調した表示の態様に加えて、アイコンを点滅させる態様、あるいは、他のアイコンの表示を非表示にする態様その他の態様が含まれる。
【０１３９】
携帯電話１００がメールを受信した場合に、ユーザが「メールを引用して返信する」機能が対応付けられたアイコン２１１０を選択した場合には、このアイコンの実績が更新される。そのため、次回、メールの受信があった場合には、そのアイコンが中央部に表示される。すなわち、図２１（Ｃ）に示すように、このアイコン２１１０が、アイコン２１２０に代えてアイコンバー１８１０の中央部に強調されて表示される。
【０１４０】
次に、図２２を参照して、メインディスプレイ１５０におけるアイコンの表示態様について説明する。図２２（Ａ）は、メインディスプレイ１５０の画像表示領域の最下行にアイコンバー１８１０が表示される場合におけるアイコンの表示位置と優先順位との対応を示した図である。図２２（Ｂ）は、そのアイコンバー１８１０がたとえばメインディスプレイ１５０の画像表示領域の右列に表示される場合におけるアイコンの表示位置と優先順位との対応を示した図である。
【０１４１】
図２２（Ａ）を参照して、たとえばアイコンバー１８１０に５つのアイコンが表示される場合、中央に位置するアイコン２２１０には第１位の優先順位が対応付けられる。アイコン２２２０，２２３０には、第２位の優先順位が対応付けられる。アイコン２２４０，２２５０には、第３位の優先順位が対応付けられる。すなわち、中央部から周辺部に優先順位が低くなるように設定される。また、図２２（Ｂ）に示すように、アイコンバー１８１０が列方向に表示される場合も同様である。
【０１４２】
すなわち、携帯電話１００その他の携帯通信端末には、その操作性を向上させる観点から、画像表示領域に複数の画像が表示されるような場合、中央の表示位置の優先順位が高く設定される端末がある。したがって、たとえば複数のアイコンをアイコンバー１８１０に表示させる場合には、アイコンが表示される領域の中央部に最も優先順位の高いアイコンを表示させるようにすれば、ユーザはメイン操作部１２０の移動キー（図示しない）の操作量（たとえばボタンの押下回数）を最小限にしつつ、特定の機能を選択することができる。その結果、携帯電話１００の利便性を向上させることができる。
【０１４３】
また、メインディスプレイ１５０におけるアイコンバー１８１０の行方向の表示が表示される画像に対して障害となる場合には、図２２（Ｂ）に示すように、アイコンバー１８１０の表示位置を最下欄から最も右の列に表示する態様に変更してもよい。この場合にも、上記したように複数のアイコンのうち中央部のアイコンに対して最も高い優先順位を与えることにより、ユーザはメイン操作部１２０の上下移動キー１２１を押下することにより優先順位の高いものから低いものに対しアイコンを選択することができる。この場合も、移動のための操作を削減することができる。
【０１４４】
図２３を参照して、本実施の形態に係る携帯電話１００のメインディスプレイ１５０における表示態様についてさらに説明する。図２３（Ａ）は、アイコンバー１８１０において複数の属性を有するアイコンがそれぞれ表示される態様を表わす図である。図２３（Ｂ）は、複数のアイコンバー２３５０，２３６０がそれぞれメインディスプレイ１５０に表示される場合における一態様を表わす図である。
【０１４５】
図２３（Ａ）に示すように、たとえば複数のアイコンのうち中央に最も優先順位の高いアイコン２３１０を表示させ、そのアイコンの左右にそれぞれ異なる属性に基づいて表示されるアイコンが含まれてもよい。この場合、たとえば、ユーザの設定により優先的に表示を希望するアイコン２３２０，２３３０は、優先順位の高いアイコン２３１０の右側に表示される。一方、ユーザの使用実績に基づいて自動的に表示の対象に設定されるアイコン２３４０，２３５０は、アイコン２３１０の左側に設定するようにしてもよい。このようにすると、ユーザの使用態様に応じたアイコンを表示させることができるため、携帯電話１００の利便性をさらに向上させることができる。
【０１４６】
また、図２３（Ｂ）に示すように、複数のアイコンバー２３５０，２３６０を同時に表示させてもよい。この場合、それぞれのアイコンバー２３５０，２３６０に対して特定の属性に基づくアイコンを表示するようにしてもよい。たとえば、利用頻度とユーザの定義とに基づいてそれぞれのアイコンを表示してもよい。このようにすると、たとえばメインディスプレイ１５０における画像の表示に対して制約がない場合には、複数のアイコンバー２３５０，２３６０が常に表示されるため、ユーザは効率よく操作をすることができる。たとえば、ユーザが文書の編集あるいは複数のデータの参照など、多くの機能を使用する場合には、図２３（Ｂ）に示した表示に基づいて、効率よく処理を進めることができる。
【０１４７】
図２４を参照して、本実施の形態に係る携帯電話１００における優先順位の設定画面について説明する。図２４（Ａ）は、ユーザ設定に基づく優先順位の設定画面の一態様を表わす図である。図２４（Ｂ）は、予め定められた設定、たとえば利用頻度あるいは直近における選択実績に基づいて優先順位を設定する場合の画面を表わす図である。
【０１４８】
図２４（Ａ）に示すように、優先順位の設定画面が表示されると、その画面には、機能の設定項目、アイコンの識別データの入力欄、および機能に関連付けられる出力態様（たとえば音声の出力、発振、発光等）の設定項目が表示される。各項目に対してユーザがそれぞれ入力することにより、このユーザ設定が有効である場合には各アイコンの選択時における報知は、この設定に基づいて行なわれる。
【０１４９】
一方、図２４（Ｂ）に示すように、利用頻度あるいは直近での選択実績に基づく優先順位の設定が行なわれる場合には、機能の入力欄、アイコンの識別データの入力欄、音声、振動あるいは光の設定の入力欄、および頻度の入力欄が表示される。ユーザは、この表示される項目に対してそれぞれ特定のデータを入力することにより、利用頻度あるいは直近での選択実績に基づく優先順位の設定を有効にすることができる。
【０１５０】
図２５を参照して、本実施の形態に係る携帯電話１００におけるメインディスプレイ１５０の表示態様についてさらに説明する。図２５は、携帯電話１００が写真撮影モードである場合における電話着信時のアイコンバー１８１０の表示態様を表わす図である。
【０１５１】
図２５に示すように、携帯電話１００が写真撮影モードのとき、メインカメラ１４０、あるいはサブカメラ１４２により撮影された被写体の映像は、メインディスプレイ１５０のほぼ全体の画像表示領域に表示される。このとき、通常は写真撮影モードに対応した機能アイコンがアイコンバー１８１０に表示される。ここで携帯電話１００が電話を受信すると、写真撮影モードを維持しつつ、予め定められたアイコン、たとえば優先順位の高いアイコンを強制的に表示することにより、現在実行中のアプリケーション（たとえば被写体の映像の表示）を終了することなく割込イベント（すなわち電話の受信）に対するアイコン２５１０を表示することができる。
【０１５２】
すなわち、たとえばアイコンバー１８１０において中央部に優先順位の高いアイコンが表示される場合には、電話の着信に応答してその着信を通知するアイコン２５１０が、アイコンバー１８１０の中央部に表示される。このとき、写真撮影モードの当初から表示されていた撮影に必要なアイコン２５２０、２５３０その他のアイコンは、中央部以外の位置に表示される。このようにすると、ユーザは、メイン操作部１２０の上下移動キー１２１の操作量を最小限にしつつ、割込イベントに対する応答（たとえば電話への応答）を速やかに実行することができる。
【０１５３】
以上のようにして、本実施の形態に係る携帯電話１００によると、ユーザの設定に基づいて、あるいは予め定められた算出基準に基づいて、複数のアイコンをメインディスプレイ１５０あるいはサブディスプレイ１６０の画像表示領域に表示させることができる。ここで、優先表示の設定が有効である場合には、各アイコンは、たとえば対応付けられている処理の実行頻度あるいは直近の使用実績に基づいて優先的に表示される。そのため、ユーザの使用態様に応じた機能アイコンが逐次表示される。したがってユーザは、メインディスプレイ１５０の画面の表示を切り替えて、処理の一覧（メニュー）を表示させることなく、希望する機能を速やかに実行することができる。これにより、携帯電話１００の利便性を向上させることができる。
【０１５４】
また、このようなアイコンを含むアイコンバー１８１０が表示されている場合に、他の割込イベント（たとえば電話の着信あるいはメール受信）が発生した場合には、その割込イベントに関連する機能が対応付けられたアイコンが優先的に表示される。したがって、ユーザはアプリケーションの実行（たとえば撮影された映像の表示、文書の編集等）を中断することなく、その割込イベントに応じた機能を実行することができる。
【０１５５】
また、ユーザがメイン操作部１２０あるいはサブ操作部１３０の特定のキーを操作することにより、アイコンバー１８１０の表示のＯＮあるいはＯＦＦを切り換えることができる。したがって、アイコンバー１８１０の表示が不要な場合にはアイコンバー１８１０を非表示にし、あるいは必要な場合にはそのアイコンバー１８１０を表示することができる。このようにすると、メインディスプレイ１５０あるいはサブディスプレイ１６０の画像表示領域に画像を有効に表示することができるため、ユーザはアプリケーションに応じて効率よく操作することができる。
【０１５６】
また、ユーザは、このように優先的に表示されるアイコンに対して特定の操作キー、たとえばカーソル移動キー、上下キーなどを操作することにより、その選択した機能を実行することができる。これにより、携帯電話１００が複数の筐体を有する折畳式の携帯電話であったり、あるいは携帯電話１００が開閉式であるためにメイン操作部１２０が格納される場合には、メイン操作部１２０を使用することなく、限られた操作キーから構成されるサブ操作部１３０を介して、操作することができる。
【０１５７】
ここで図２６を参照して、本実施の形態に係る携帯電話１００におけるサブ操作部１３０の異なる配置の態様について説明する。図２６は、サブ操作部１３００が折畳式の携帯電話１０００の側面に配置される態様を概略的に表わす図である。
【０１５８】
図２６に示すように、少なくとも３つの操作キー１３００ａ，１３００ｂ，１３００ｃを筐体の側面に配置することにより、ユーザは携帯電話１０００の表示装置（図示しない）に表示されるアイコンの表示の態様を切り換え、さらに特定のアイコンを選択することができる。したがってアイコンの選択のために携帯電話１０００を敢えて開いてメイン操作部（図示しない）を操作する必要がないため、利便性を向上させることができる。
【０１５９】
なお、本実施の形態においては、各機能に対応付けられるアイコンの画像データは、予めフラッシュメモリ１４０、データ用ＲＯＭ１４８、あるいはメモリカード１８２に格納されているものであったが、画像データはこれらに限られない。たとえば、メインカメラ１４０あるいはサブカメラ１４２により撮影された静止画像、あるいはデータ通信ＩＦ１７８を介して受信された画像データ、さらに受信メールに添付されている画像データに基づいてアイコンを生成するものであってもよい。
【０１６０】
また、メインディスプレイ１５０、あるいはサブディスク１６０に表示されるアイコンを選択する場合に、たとえばメイン操作部１２０のカーソル移動キー１２２により特定のアイコンを選択したが、アイコンの選択の態様はこれに限られない。たとえば図１に示すように、携帯電話１００は、左右方向に３つ、上下方向に４つ、計１２個の１２キー１２４を有する。したがって、メインディスプレイ１５０にたとえば横方向に３つ、縦方向に４つの機能アイコンを表示させ、それぞれの機能アイコンの表示位置に各１２キー１２４のそれぞれを対応付けることにより、カーソル移動キー１２２の操作に代えて１２キー１２４のいずれかの押下を検知することにより、そのアイコンの選択を検知してもよい。このようにすると、表示されるアイコンと１２キー１２４との対応が明瞭になるため、ユーザが誤った機能を選択することを防止することができる。
【０１６１】
なお、携帯通信端末は、図１あるいは図２に示した携帯電話１００に限られず、その他の端末であってもよい。すなわち、図１あるいは図２に示される携帯電話１００は、ユーザが片手で把持することができる大きさあるいは形状を有するが、このような態様に限られず、必ずしも片手で把持ができない端末であってもよい。
【０１６２】
すなわち、本発明のさらに他の局面に従う携帯通信端末は、画像表示領域を有する表示手段と、画像表示領域に表示される画面を表示するための画面データと、携帯通信端末が有する複数の機能の各々が対応付けられた複数の画像データと、画像表示領域における各画像データに基づく画像が表示されるべき予め定められた方向に沿う複数の表示位置と、各表示位置の優先順位と、各機能の優先順位とを記憶するための記憶手段と、画面の表示を切り替える切換指令を検出するための検出手段と、切換指令の検出に応答して、各機能の優先順位に基づいて、各画像データを各表示位置の優先順位に対応させて、各画像を表示するための表示データを生成する生成手段と、利用者からの指示を受け付けるための入力手段とを備える。
【０１６３】
上記の構成を有する携帯通信端末によると、表示手段は、予め定められた位置に機能が対応付けられた画像データに基づく画像を優先順位に基づいて表示することができる。そのため、ユーザは、その機能を容易に選択することができるため、操作性を向上させることができる。
【０１６４】
好ましくは、記憶手段は、各表示位置に対応する画像表示領域における予め定められた位置に対応する基準位置データを含む。携帯通信端末は、各々の優先順位に基づいて、基準位置データに対応付けられる画像データを検索するための検索手段をさらに含む。生成手段は、検索された画像データを基準位置データに対応付けて、表示データを生成する。
【０１６５】
上記の構成を有する携帯通信端末によると、画像は予め定められた位置に、各々の優先順位に基づいて順次表示されるため、ユーザは、必要な画像を選択しやすくなる。これにより、ユーザの操作性を向上させることができる携帯通信端末を提供することができる。
【０１６６】
好ましくは、予め定められた位置は、画像表示領域の行方向の中央に位置する表示領域である。基準位置データは、表示領域に対応するデータである。入力手段は、行方向に選択の指示を入力するための手段を含む。
【０１６７】
上記の構成を有する携帯通信端末によると、画像が行方向に整列して表示されるため、ユーザは、携帯通信端末に機能を実行させようとする画像を容易に選択することができる。
【０１６８】
好ましくは、予め定められた位置は、画像表示領域の列方向の中央に位置する表示領域である。基準位置データは、表示領域に対応するデータである。入力手段は、列方向に選択の指示を入力するための手段を含む。
【０１６９】
上記の構成を有する携帯通信端末によると、画像が列方向に整列して表示されるため、ユーザは、携帯通信端末に機能を実行させようとする画像を容易に選択することができる。
【０１７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１７１】
本発明は、携帯通信端末、特に表示手段の画像表示領域が限られた携帯電話に利用可能である。
【図面の簡単な説明】
【０１７２】
【図１】本発明の実施の形態に係る携帯電話の構成を表わす図（その１）である。
【図２】本発明の実施の形態に係る携帯電話の構成を表わす図（その２）である。
【図３】本発明の実施の形態に係る携帯電話の構成を表わす図（その３）である。
【図４】本発明の実施の形態に係る携帯電話におけるデータ構造を概念的に表わす図（その１）である。
【図５】本発明の実施の形態に係る携帯電話におけるデータ構造を概念的に表わす図（その２）である。
【図６】本発明の実施の形態に係る携帯電話におけるデータ構造を概念的に表わす図（その３）である。
【図７】本発明の実施の形態に係る携帯電話におけるデータ構造を概念的に表わす図（その４）である。
【図８】本発明の実施の形態に係る携帯電話におけるアイコンの表示位置を説明するための図である。
【図９】本発明の実施の形態に係る携帯電話におけるデータ構造を概念的に表わす図（その５）である。
【図１０】本発明の実施の形態に係る携帯電話におけるデータ構造を概念的に表わす図（その６）である。
【図１１】本発明の実施の形態に係る携帯電話の制御部が実行する処理の手順を表わすフローチャート（その１）である。
【図１２】本発明の実施の形態に係る携帯電話の制御部が実行する処理の手順を表わすフローチャート（その２）である。
【図１３】本発明の実施の形態に係る携帯電話の制御部が実行する処理の手順を表わすフローチャート（その３）である。
【図１４】本発明の実施の形態に係る携帯電話の制御部が実行する処理の手順を表わすフローチャート（その４）である。
【図１５】本発明の実施の形態に係る携帯電話の制御部が実行する処理の手順を表わすフローチャート（その５）である。
【図１６】本発明の実施の形態に係る携帯電話の制御部が実行する処理の手順を表わすフローチャート（その６）である。
【図１７】本発明の実施の形態に係る携帯電話の制御部が実行する処理の手順を表わすフローチャート（その７）である。
【図１８】本発明の実施の形態に係る携帯電話のディスプレイにおけるアイコンの表示態様を説明するための図（その１）である。
【図１９】本発明の実施の形態に係る携帯電話のディスプレイにおけるアイコンの表示態様を説明するための図（その２）である。
【図２０】本発明の実施の形態に係る携帯電話のディスプレイにおけるアイコンの表示態様を説明するための図（その３）である。
【図２１】本発明の実施の形態に係る携帯電話のディスプレイにおけるアイコンの表示態様を説明するための図（その４）である。
【図２２】本発明の実施の形態に係る携帯電話のディスプレイにおけるアイコンの表示態様を説明するための図（その５）である。
【図２３】本発明の実施の形態に係る携帯電話のディスプレイにおけるアイコンの表示態様を説明するための図（その６）である。
【図２４】本発明の実施の形態に係る携帯電話のディスプレイにおけるアイコンの表示態様を説明するための図（その７）である。
【図２５】本発明の実施の形態に係る携帯電話のディスプレイにおけるアイコンの表示態様を説明するための図（その８）である。
【図２６】本発明の実施の形態に係る携帯電話の構成を表わす図（その４）である。
【符号の説明】
【０１７３】
１００，１０００  携帯電話、１０２  通信部、１０４  第１の筐体、１０６  第２の筐体、１０８  アンテナ、１１０  制御部、１２０  メイン操作部、１２１  上下移動キー、１２２  カーソル移動キー、１２４  １２キー、１３０，１３００  サブ操作部、１３０ａ，１３０ｃ，１３００ａ，１３００ｃ  カーソルの移動キー、１３０ｂ，１３００ｂ  決定キー、１４０  メインカメラ、１４２  サブカメラ、１４４  フラッシュメモリ、１４６  ＲＡＭ、１４８  データ用ＲＯＭ、１５０  メインディスプレイ、１６０  サブディスプレイ、１７０  音声信号処理部、１７６  ＬＥＤ、１７８  データ通信ＩＦ、１８０  メモリカード駆動部、１８２  メモリカード、１８４  バイブレータ。
【図１】
2005204257.tif 000003
【図２】
2005204257.tif 000004
【図３】
2005204257.tif 000005
【図４】
2005204257.tif 000006
【図５】
2005204257.tif 000007
【図６】
2005204257.tif 000008
【図７】
2005204257.tif 000009
【図８】
2005204257.tif 000010
【図９】
2005204257.tif 000011
【図１０】
2005204257.tif 000012
【図１１】
2005204257.tif 000013
【図１２】
2005204257.tif 000014
【図１３】
2005204257.tif 000015
【図１４】
2005204257.tif 000016
【図１５】
2005204257.tif 000017
【図１６】
2005204257.tif 000018
【図１７】
2005204257.tif 000019
【図１８】
2005204257.tif 000020
【図１９】
2005204257.tif 000021
【図２０】
2005204257.tif 000022
【図２１】
2005204257.tif 000023
【図２２】
2005204257.tif 000024
【図２３】
2005204257.tif 000025
【図２４】
2005204257.tif 000026
【図２５】
2005204257.tif 000027
【図２６】
2005204257.tif 000028